(57)【特許請求の範囲】
【請求項１】
設定変更が可能な複数の機能をそれぞれ示す複数の名称が列挙されたメニュー画面をディスプレイに表示する表示手段、
前記複数の機能のうち所望の機能に向けた第１操作を受け付ける第１受付手段、
前記第１操作を受け付けたとき前記ディスプレイ上の現時点の画面を前記所望の機能を解説する解説画面に移行させる第１移行手段、
前記複数の機能のうち前記所望の機能に向けた第２操作を受け付ける第２受付手段、および
前記第２操作を受け付けたとき前記ディスプレイ上の現時点の画面を前記所望の機能の設定変更を受け付ける設定画面に移行させる第２移行手段を備え、
前記第１受付手段は前記メニュー画面および前記設定画面の各々が選択的に表示された状態で前記第１操作を受け付け、
前記第２受付手段は前記メニュー画面および前記解説画面の各々が選択的に表示された状態で前記第２操作を受け付ける、携帯型通信端末。
【請求項２】
前記解説画面は前記設定画面への切り換えを促す第１キャラクタを含む、請求項１記載の携帯型通信端末。
【請求項３】
前記設定画面は前記解説画面への切り換えを促す第２キャラクタを含む、請求項１または２記載の携帯型通信端末。
【請求項４】
前記メニュー画面は前記複数の名称のいずれか１つを指向するカーソルを含み、
カーソル移動操作を受け付ける第３受付手段をさらに備える、請求項１ないし３のいずれかに記載の携帯型通信端末。
【請求項５】
前記ディスプレイは前記解説画面，前記メニュー画面および前記設定画面を選択的に表示する単一の窓を有する、請求項１ないし４のいずれかに記載の携帯型通信端末。
【発明の詳細な説明】
【０００１】
【産業上の利用分野】
この発明は、携帯型通信端末に関し、たとえば携帯電話機に適用され、複数の機能名および所望の機能名を指向するカーソルをディスプレイに表示する、携帯型通信端末に関する。
【０００２】
【従来の技術】
従来の携帯電話機において、着信音量やディスプレイの照明色などの機能を設定ないし変更するためには、複数のキーを操作して所望の機能の設定画面に移行する必要があった。ここで、設定画面への移行にどういうキー操作が必要となるかについては、各機能のメニュー画面によって把握できるようになっていた。
【０００３】
【発明が解決しようとする課題】
しかし、メニュー画面によって把握できるのは機能の名称およびその機能の設定画面への移行に必要なキー操作だけであり、機能の詳しい内容を知ることは不可能であった。このため、たとえば“照明色選択”という機能名および“Ｆ＋＃”というキー操作の説明がメニュー画面に表示される場合、Ｆキーおよび＃キーの２つのキーを押さなければ照明色の設定画面に移行できることができず、さらにこの設定画面によって照明色をどのように選択できるかについては、メニュー画面から何ら知ることができなかった。この結果、所望の動作状態を設定するのは容易ではなかった。
【０００４】
それゆえに、この発明の主たる目的は、所望の動作状態を容易に設定できる、携帯型通信端末を提供することである。
【０００５】
【課題を解決するための手段】
この発明に従う携帯型通信端末は、設定変更が可能な複数の機能をそれぞれ示す複数の名称が列挙されたメニュー画面をディスプレイに表示する表示手段、複数の機能のうち所望の機能に向けた第１操作を受け付ける第１受付手段、第１操作を受け付けたときディスプレイ上の現時点の画面を所望の機能を解説する解説画面に移行させる第１移行手段、複数の機能のうち所望の機能に向けた第２操作を受け付ける第２受付手段、および第２操作を受け付けたときディスプレイ上の現時点の画面を所望の機能の設定変更を受け付ける設定画面に移行させる第２移行手段を備え、第１受付手段はメニュー画面および設定画面の各々が選択的に表示された状態で第１操作を受け付け、第２受付手段はメニュー画面および解説画面の各々が選択的に表示された状態で第２操作を受け付ける。
【０００６】
【作用】
メニュー画面には、設定変更が可能な複数の機能をそれぞれ示す複数の名称が列挙される。表示手段は、このようなメニュー画面をディスプレイに表示する。複数の機能のうち所望の機能に向けた第１操作が第１受付手段によって受け付けられると、第１移行手段が、ディスプレイ上の現時点の画面を所望の機能を解説する解説画面に移行させる。また、複数の機能のうち所望の機能に向けた第２操作が第２受付手段によって受け付けられると、第２移行手段が、ディスプレイ上の現時点の画面を所望の機能の設定変更を受け付ける設定画面に移行させる。
【０００７】
ここで、第１受付手段は、メニュー画面および設定画面の各々が選択的に表示された状態で第１操作を受け付ける。また、第２受付手段は、メニュー画面および解説画面の各々が選択的に表示された状態で第２操作を受け付ける。
【０００８】
解説画面は、好ましくは設定画面への切り換えを促す第１キャラクタを含む。また、設定画面は、好ましくは解説画面への切り換えを促す第２キャラクタを含む。
【０００９】
メニュー画面が複数の名称のいずれか１つを指向するカーソルを含むとき、カーソルはカーソル移動操作に応答して移動する。
【００１０】
ディスプレイは、好ましくは、解説画面，メニュー画面および設定画面を選択的に表示する単一の窓を有する。
【００１１】
【発明の効果】
この発明によれば、所望の動作状態を容易に設定できる。
【００１２】
この発明の上述の目的，その他の目的，特徴および利点は、図面を参照して行う以下の実施例の詳細な説明から一層明らかとなろう。
【００１３】
【実施例】
図１を参照して、この実施例の携帯電話機１０は、キー入力装置１２を含む。このキー入力装置１２から出力されたキー入力信号はＣＰＵ１４に与えられ、ＣＰＵ１４は与えられたキー入力信号に応じた処理を実行する。たとえば、オペレータが電話番号を入力すると、ドライバ１６を制御してディスプレイに電話番号を表示する。このあと、オペレータが発呼操作を行うと、ＣＰＵ１４は通信回路２６を制御して相手方への発呼処理を行う。そして、相手方との接続状態が確立されると、通信処理を行なう。このとき、オペレータの音声信号は、マイク２４および音声処理回路２０を通してＣＰＵ１４に取り込まれ、その後、通信回路２６およびアンテナ２８を通して相手方に送信される。相手方の音声信号は、アンテナ２８および通信回路２６を通してＣＰＵ１４に取り込まれ、その後、音声処理回路２０を通してスピーカ２２から出力される。また、相手方から着呼があると、ＣＰＵ１４は着呼処理を行い、接続状態が確立された後は上述と同じ通信処理を行う。
【００１４】
キー入力装置１２，ディスプレイ１８，スピーカ２２およびマイク２４は、図２に示す筐体３２の前面に形成される。具体的には、スピーカ２２およびディスプレイ３２が前面の上方に配置され、キー入力装置１２が前面の中央に配置され、そしてマイク２４が前面の下方に配置される。キー入力装置１２には、電話番号を入力するテンキー１２ｅの他、カーソルキー１２ａ，ヘルプキー１２ｂ，設定キー１２ｃ，ファンクションキー１２ｄなどが含まれる。ここで、ディスプレイ１８は、後述するメニュー画面，ヘルプ画面および設定画面を表示できるような窓を１つしか持たない。このため、メニュー画面，ヘルプ画面および設定画面は、この単一の窓に選択的に表示される。
【００１５】
ＣＰＵ１４に接続されたＲＯＭ３０には、図３に示すようなテーブル３０ａが記憶される。各々の機能を示す識別番号Ｆ１，Ｆ２，Ｆ３，…には、機能の名称データおよび解説データが割り当てられる。たとえば、識別番号Ｆ１は、時計表示のオン／オフを設定する時計表示機能に対応するため、“時計表示”の機能名データおよび“画面に時計を表示するかどうかの設定をします”との解説データが識別番号Ｆ１に対応付けられる。また、識別番号Ｆ１３は、着信時の音量を５段階で調整する着信音量調整機能に対応するため、“着信音量”の機能名データおよび“着信時の音量を５段階で調整します”との解説データが、識別番号Ｆ１３に対応付けられる。
【００１６】
発呼および着呼を待ち受ける待ち受け状態のとき、ＣＰＵ１４は図５および図６に示すフロー図を処理する。まずステップＳ１で、ファンクションキー１２ｄが押されたかどうかを判断する。そして、ファンクションキー１２ｄが押されない限りステップＳ１の処理を繰り返し、ファンクションキー１２ｄが押されたときにステップＳ３に進む。ステップＳ３では、複数の機能名およびカーソルを含むメニュー画面をディスプレイ１８に表示する。ディスプレイ１８には、図４（Ａ）に示す要領で、複数の機能名およびいずれか１つの機能名を指向するカーソルが表示される。各機能名は識別番号とともに表示され、画面の右下にはヘルプキー１２ｂの操作を促すキャラクタ“ヘルプ”も表示される。なお、図４（Ａ）に示される点線が窓を示す。
【００１７】
ＣＰＵ１４は、メニュー画面が表示された後、ステップＳ５，Ｓ９およびＳ１１のそれぞれでカーソルキー１２ａ，設定キー１２ｃおよびヘルプキー１２ｂの操作の有無を判別する。
【００１８】
カーソルキー１２ａが操作されたとき、ＣＰＵ１４は、ステップＳ５からステップＳ７に進み、キー操作に応じてカーソルの移動またはメニュー画面の更新を行う。図４（Ａ）から分かるように、ディスプレイ１８には５つの機能名しか表示できない。このため、カーソルキー１２ａの操作がディスプレイ１８に表示された機能名のいずれかを選択するための操作（たとえばカーソルがＦ１５を指向している状態での上方への移動操作）であれば、カーソルを移動させる。一方、カーソルキー１２ａの操作がディスプレイ１２ａに表示されていない機能名を選択するための操作（たとえばカーソルがＦ１７を指向している状態での下方への移動操作）であれば、メニュー画面を更新する。
【００１９】
メニュー画面が表示された状態で設定キー１２ｃが操作されると、ＣＰＵ１４はステップＳ９からステップＳ１７に進み、現時点で選択されている機能の設定画面をディスプレイ１８に表示する。たとえば、カーソルが図４（Ａ）に示す“照明色選択”を指向しているときに設定キー１２ｃが押されると、図４（Ｃ）に示す設定画面に移行する。この設定画面には“赤”および“緑”を示すキャラクタが表示されるとともに、一方のキャラクタが点滅する。この点滅がカーソルを示す。図４（Ｃ）によれば、現時点の設定状態は“赤”であり、照明は赤色で点灯する。設定画面の右下にはさらに、ヘルプキー１２ｂの操作を促すキャラクタ“ヘルプ”が表示される。
【００２０】
メニュー画面が表示された状態でヘルプキー１２ｂが操作された場合、ＣＰＵ１４はステップＳ１１からステップＳ１３に進む。ここでは、現時点で選択されている機能名に対応する解説データをＲＯＭ３０から読み出し、ヘルプ画面（解説画面）をディスプレイ１８に表示する。図４（Ａ）に示す表示状態でヘルプキー１２ｂが押されると、“照明色選択”に対応する解説データがＲＯＭ３０から読み出され、“画面の照明を赤または緑に設定します”との解説メッセージを含むヘルプ画面が表示される。このとき、ヘルプ画面の右下には、設定キー１２ｃの操作を促すキャラクタ“設定”が表示される。ヘルプ画面が表示された後、ＣＰＵ１４は、ステップＳ１５で設定キー１２ｃの操作の有無を判別し、設定キー１２ｃの操作に応答してステップＳ１７に進む。
【００２１】
ステップＳ１７で設定画面が表示された後、ＣＰＵ１４はステップＳ２１〜Ｓ３５を処理するが、これらの処理はステップＳ２１でカーソルの移動だけを行う点、設定キー１２ｃが押されたときにステップＳ３３で設定状態を更新する点、およびステップＳ３３の処理の終了後ステップＳ１に戻る点を除き、ステップＳ５〜１７と同じである。このため、重複した説明は極力省略する。
【００２２】
図４（Ｃ）に示す設定画面が表示されているときにカーソルキー１２ａが操作されると、点滅位置が移動する。たとえば、“赤”のキャラクタが点滅しているときにカーソルの右側への移動が指示されると、“赤”のキャラクタの点滅が中断し、代わりに“緑”のキャラクタが点滅する。また、図４（Ｃ）の表示状態でヘルプキー１２ｂが押されると、表示が図４（Ｂ）に示すヘルプ画面に切り換えられる。さらに、図４（Ｃ）に示す表示状態で設定キー１２ｃが押されると、ディスプレイ１８の照明色は、カーソルが指向しているキャラクタの色となる。つまり、現在の照明色が“緑”の場合に、“赤”が選択されかつ設定キー１２ｃが押されると、照明色が緑から赤に変わる。
【００２３】
以上の説明から分かるように、メニュー画面または設定画面が表示された状態でヘルプキー１２ｂが押されると、ディスプレイ１８の表示がメニュー画面からヘルプ画面に移行する。また、ヘルプ画面が表示された状態で設定キー１２ｃが押されると、ディスプレイ１８の表示がヘルプ画面から設定画面に移行する。さらに、メニュー画面および設定画面にはヘルプキー１２ｂの操作を促す“ヘルプ”のキャラクタが表示され、ヘルプ画面には設定キー１２ｃの操作を促す“設定”のキャラクタが表示される。このため、オペレータはメニュー画面に含まれる機能名の詳しい内容を容易に知ることができ、速やかに所望の動作状態を設定することができる。
【００２４】
特に、この実施例のディスプレイは単一の窓しか持たないため、メニュー画面，ヘルプ画面および設定画面は選択的にディスプレイに表示される。つまり、メニュー画面からヘルプ画面または設定画面に切り換わるとき、ならびに設定画面とヘルプ画面との間で表示が切り換わるときにいずれも、切り換えの前後で画面が完全に置き換えられる。この発明の効果は、ディスプレイがマルチウィンドウ方式ではなく上記のようなシングルウィンドウ方式を採用するときに顕著に表れる。
【００２５】
なお、この実施例では、ヘルプ画面および設定画面への移行のための専用キーをキー入力装置の中に設けているが、キー入力装置の別のキー（たとえば＊キーおよび＃キー）にヘルプキーおよび設定キーとしての用途を持たせるようにしてもよい。また、メニュー画面および設定画面に表示される“ヘルプ”のキャラクタおよびヘルプ画面に表示される“設定”のキャラクタにタッチパネル機能を持たせ、それぞれをヘルプキーおよび設定キーとして用いるようにしてもよい。
【図面の簡単な説明】
【図１】この発明の一実施例の構成を示すブロック図である。
【図２】図１実施例の外観を示す図解図である。
【図３】ＲＯＭに格納されたデータを示す図解図である。
【図４】図１実施例の動作の一部を示す図解図である。
【図５】図１実施例の動作の一部を示すフロー図である。
【図６】図１実施例の動作の他の一部を示すフロー図である。
【符号の説明】
１０…携帯電話機
１２ａ…カーソルキー
１２ｂ…ヘルプキー
１２ｃ…設定キー
１２ｄ…ファンクションキー
１４…ＣＰＵ
１８…ディスプレイ
【図１】
0004007734.tif 000002
【図２】
0004007734.tif 000003
【図３】
0004007734.tif 000004
【図４】
0004007734.tif 000005
【図５】
0004007734.tif 000006
【図６】
0004007734.tif 000007